(57)【要約】【課題】不急の呼び出しを行った患者に対して医療従事者がついでに対応し易くするように患者を配置できる。【解決手段】ナースコール用表示装置２０が音声で報知する通常の呼び出し回数と廊下灯１０が視覚で報知する不急の呼び出し回数とを患者毎に集計し、ナースステーションから病床までの距離を患者毎に設定する。全体の呼び出し回数が所定の回数以上で、通常の呼び出しの割合が第一の所定の割合以上である患者の距離が第一の所定値以上である場合または全体の呼び出し回数が所定の回数以上で、不急の呼び出しの割合が第二の所定の割合以上である患者の距離が第二の所定値以下である場合に、表示部２６は病床が適切ではないことを表示する。これにより、通常の呼び出しを行う傾向が高い患者の病床をナースステーションから遠い病床に配置したり不急の呼び出しを行う傾向が高い患者の病床をナースステーションの近くの病床に配置したりすることができる。【選択図】        図１
2012228392.tif 000002
【特許請求の範囲】
【請求項１】
医療従事者が常駐するナースステーションから患者に割り当てられている病床までの距離を示す距離情報と、前記患者を他の患者と識別するための患者識別情報と、前記病床を他の病床と識別するための病床識別情報とを関連付けて予め記憶する記憶部と、
前記ナースステーションに設置されるナースコール親機によって音声による報知が行われる通常の呼び出しを行った回数、および、病床の出入口近傍に設置した表示装置によって視覚に対する報知が行われる不急の呼び出しを行った回数を患者毎に集計する集計部と、
前記集計部により集計された全体の呼び出しの回数が所定の回数以上であるか否か、その回数に対する通常の呼び出しを行った回数の割合が第一の所定の割合以上であるか否か、その回数に対する不急の呼び出しを行った回数の割合が第二の所定の割合以上であるか否かを患者毎に判定する判定部と、
全体の呼び出しの回数が所定の回数以上で、その回数に対する通常の呼び出しを行った回数が第一の所定の割合以上であると前記判定部にて判定された患者の患者識別情報に関連付けて前記記憶部に記憶されている距離情報が第一の所定値より小さい場合、または、全体の呼び出しの回数が所定の回数以上で、その回数の対する不急の呼び出しを行った回数が第二の予定の割合以上であると前記判定部にて判定された患者の患者識別情報に関連付けて前記記憶部に記憶されている距離情報が第二の所定値より大きい場合に、患者に割り当てられている病床が適切ではないことを判定する適合性判定部と、
前記適合性判定部により適切ではないと判定された患者を表示する表示部と、
を備えることを特徴とするナースコール用表示装置。
【発明の詳細な説明】
【技術分野】
【０００１】
本発明は、病院などで患者からの要求に応じて医師や看護師などの医療従事者を呼び出すナースコールシステムに使用されるナースコール用表示装置に関する。
【背景技術】
【０００２】
従来、病院などでは、ナースコールシステムが用いられている。ナースコールシステムは、病室内の患者の近辺（例えば、ベッド近傍など）に設置されたナースコール子機および医療従事者の居る部屋（例えば、ナースステーションなど）に設置されたナースコール親機を有線などにより接続して構成されている。また、ナースコール親機とナースコール子機との間には、病室に居る患者の名前などを表示したり、患者が医療従事者を呼び出したことを報知したりするための廊下灯が設置されている。また、ナースコール親機によっては、医療従事者が携行している携帯通信端末（例えば、ＰＨＳ（Ｐｅｒｓｏｎａｌ  Ｈａｎｄｙｐｈｏｎｅ  Ｓｙｓｔｅｍ）やコードレス電話など）を無線によって接続するものも存在する。そして、患者によりナースコール子機が操作されると、ナースコール親機や廊下灯、携帯通信端末は、自装置に設けられた報知部を動作させて、スピーカーから呼び出し音を出力させたり、表示ディスプレイなどに呼び出し表示を行わせたりして、呼び出しを報知している。医療従事者は、呼び出し音を聞いたり、呼び出し表示を見たりして、患者からの呼び出しを把握する。
【０００３】
ところで、患者がナースコールシステムを用いて呼び出しを行う場合に、患者の状況に応じて様々な呼び出しの種類が存在する。例えば、生命に関するような場合などには、患者は、緊急性を要する対応を望む。一方、水が飲みたい場合や回診時間を確認したい場合などには、緊急性を必要としないことが多いので、患者は、医療従事者が立ち寄ったときのついでに対応してくれることを望む。
【０００４】
しかしながら、前述した従来技術では、緊急性を要するか否かに関わらず、同様の呼び出しが行われる。これにより、全ての呼び出しに対して医療従事者がすぐに対応すると、医療従事者が他の業務に従事することができなくなり、非効率的になってしまうという問題があった。また、患者は、医療従事者に気兼ねしてナースコールシステムによる呼び出しを行うことができなくなってしまうという問題があった。
【０００５】
このような問題を解決するために、ナースコール子機に緊急／不急切り換え用のスイッチを設け、緊急に切り換えたナースコール子機により呼び出しが行われた場合に、廊下灯およびナースコール親機のランプを点滅させ、ナースコール親機にて呼び出し音を鳴らし、不急に切り換えたナースコール子機により呼び出しが行われた場合には、廊下灯およびナースコール親機のランプを点灯させ、ナースコール親機では呼び出し音を鳴らさないようにしたナースコールシステムが知られている（例えば、特許文献１など）。この特許文献１に記載のナースコールシステムでは、患者が不急に切り換えたナースコール子機により呼び出し（以下、不急の呼び出しと記載する）を行うと、廊下灯のランプが点灯するため、移動中の医療従事者が廊下灯のランプの点灯を確認することで、医療従事者がついでに対応することが可能である。
【０００６】
しかしながら、特許文献１に記載の技術では、不急の呼び出しを行った患者の病室が、ナースコール親機が設置されているナースステーションと緊急に切り換えたナースコール子機にて呼び出しを行った患者の病室との間に存在していないと、医療従事者が不急の呼び出しを行った患者の病室までわざわざ赴かない限り、その患者に対してついでに対応することが困難になってしまうという問題があった。
【０００７】
ところで、ナースセンターから各患者に割り当てられている病床までの距離と各患者の看護必要度との関係から各患者に対する病床の割り当ての適合性を判定し、適合性が無いと判断された患者を要転床患者として画面表示する技術が知られている（例えば、特許文献２など）。これにより、看護必要度が高い患者をナースセンターから近い病室に配置するようにすれば、ナースセンターから看護必要度の高い患者の病室までの距離が近くなり、医療従事者が看護必要度の高い患者の病室に到着するまでの時間を短くすることができる。ここで、看護必要度とは、患者が看護をどの程度必要とするかを示す度合いであり、数値が大きいほど看護必要度が高く、数値が小さいほど看護必要度が低いことを表している。
【０００８】
このような、特許文献２に記載の技術を特許文献１に記載の技術に適用すると、通常の呼び出しを行う患者をナースステーションから近い病室に配置し、不急の呼び出しを行う患者をナースステーションから遠い病室に配置するようになるので、緊急度の高い通常の呼び出しを患者が行えば、医療従事者がナースステーションから近い病室とナースステーションとの間を移動するようになり、医療従事者の動線を短くすることができる。
【０００９】
しかしながら、この従来技術では、同じ患者が通常の呼び出しの操作と不急の呼び出しの操作とを行うことができるので、患者が何れかの呼び出しの操作を行うとは限らないため、患者に対して適切な配置を判断することができないという問題があった。
【先行技術文献】
【特許文献】
【００１０】
【特許文献１】特開２０００−４８２６７号公報
【特許文献２】特開２００９−３７３７６号公報
【発明の概要】
【発明が解決しようとする課題】
【００１１】
本発明は、このような問題を解決するために成されたものであり、不急の呼び出しを行った患者に対して医療従事者がついでに対応し易くするように患者を配置できるようにすることを目的とする。
【課題を解決するための手段】
【００１２】
上述した課題を解決するために、本発明のナースコール用表示装置は、ナースコール親機によって音声による報知が行われる通常の呼び出しを行った回数と廊下灯によって視覚に対する報知が行われる不急の呼び出しを行った回数とを患者毎に集計し、ナースステーションから患者に割り当てられている病床までの距離を示す距離情報を患者毎に設定して、全体の呼び出しの回数が多く、その回数に対する通常の呼び出しを行った回数の割合が多い患者の距離情報が小さい場合、または、全体の呼び出しの回数が多く、その回数に対する不急の呼び出しを行った回数の割合が多い患者の距離情報が大きい場合に、患者に割り当てられている病床が適切ではないことを表示するようにしている。
【発明の効果】
【００１３】
上記のように構成した本発明によれば、通常の呼び出しを行う傾向が高い患者の病床がナースステーションの近くの病床に配置されていたり、不急の呼び出しを行う傾向が高い患者の病床がナースステーションから遠い病床に配置されていたりすると、その配置が適切ではないことが表示される。これにより、医療従事者が通常の呼び出しを行う傾向が高い患者の病床をナースステーションから遠い病床に配置したり、不急の呼び出しを行う傾向が高い患者の病床をナースステーションの近くの病床に配置したりすることができるようになり、不急の呼び出しを行った患者の病室が、ナースステーションと通常の呼び出しを行った患者の病室との間に存在する可能性が高くなる。従って、不急の呼び出しを行った患者に対して医療従事者がついでに対応し易くなるように患者を配置することができる。
【図面の簡単な説明】
【００１４】
【図１】本実施形態によるナースコール用表示装置を含むナースコールシステムの構成例を示すブロック図である。
【図２】本実施形態によるナースコール用表示装置の記憶部の記憶内容の例を示す図である。
【図３】本実施形態によるナースコール用表示装置の表示部の表示画面の例を示す図である。
【発明を実施するための形態】
【００１５】
以下、本発明の一実施形態を図面に基づいて説明する。本実施形態によるナースコール用表示装置を含むナースコールシステムの構成例を示すブロック図を図１に示す。同図に示すように、本実施形態によるナースコール用表示装置を含むナースコールシステムは、ナースコール子機１、廊下灯（特許請求の範囲の表示装置に該当する）１０、ナースコール用表示装置２０を備えて構成されている。
【００１６】
図１において、ナースコール子機１は、病室内の各患者の近辺（例えば、ベッド近傍など）にそれぞれ設置されており、患者が医療従事者を緊急に呼び出したり、患者が医療従事者を不急に呼び出したりするためのものである。ここで、ナースコール子機１に通話機能が搭載されている場合には、ナースコール子機１とナースコール用表示装置２０との間で通話を行うことができる。これにより、患者は、緊急の呼び出し（以下、通常の呼び出しと記載する）に応答した医療従事者と会話することができる。また、ナースコール子機１は、子機用制御部２、通常呼出操作部３、不急呼出操作部４、子機用インターフェース（以下、Ｉ／Ｆとする）部５を備えて構成されている。
【００１７】
廊下灯１０は、病室の出入口近傍の廊下側の壁面に取り付けられており、病室の番号や病室を使用している患者の氏名などを表示したり、患者からの呼び出しを医療従事者に視覚により報知したり、医療従事者が患者からの呼び出しに対して復旧操作を行ったりするためのものである。ここで、廊下灯１０には、複数のナースコール子機１が接続されている。また、復旧操作とは、廊下灯１０による報知およびナースコール用表示装置２０による報知を停止するとともに、ナースコール子機１により再び通常呼出操作部３および不急呼出操作部４の操作を受け付ける状態に戻すための操作である。また、廊下灯１０は、廊下灯用制御部１１、廊下灯用インターフェース（以下、Ｉ／Ｆとする）部１２、廊下灯用報知部１３、廊下灯用復旧操作部１４を備えて構成されている。
【００１８】
ナースコール用表示装置２０は、ナースコール親機の機能を備えており、医療従事者が常駐する部屋（例えば、ナースステーションなど）に設置されている。また、ナースコール用表示装置２０は、患者から呼び出しが行われた場合に音声や視覚により報知したり、患者に対して配置すべき病床を表示したりする。ここで、ナースコール用表示装置２０とナースコール子機１との間には、制御機（図示せず）および廊下灯１０が設置されている。制御機は、ナースコール子機１とナースコール用表示装置２０との間の通信を制御する。また、ナースコール用表示装置２０は、制御部２１、インターフェース（以下、Ｉ／Ｆとする）部２２、記憶部２３、報知部２４、復旧操作部２５、表示部２６を備えて構成されている。
【００１９】
子機用制御部２は、ＣＰＵ（Ｃｅｎｔｒａｌ  Ｐｒｏｃｅｓｓｉｎｇ  Ｕｎｉｔ）などにより構成されており、ナースコール子機１の各構成要素を後述するように制御する。通常呼出操作部３は、ボタンなどにより構成されており、患者が医療従事者を緊急に呼び出す際に操作される。また、通常呼出操作部３が操作されると、子機用制御部２は、患者が医療従事者を緊急に呼び出すための通常呼出信号を生成する。ここで、通常呼出信号は、このナースコール子機１が設置されている病床を他の病床と識別するための病床識別情報を含む。不急呼出操作部４は、ボタンなどにより構成されており、患者が医療従事者を不急に呼び出す際に操作される。また、不急呼出操作部４が操作されると、子機用制御部２は、患者が医療従事者を不急に呼び出すための不急呼出信号を生成する。ここで、不急呼出信号は、このナースコール子機１が設置されている病床を他の病床と識別するための病床識別情報を含む。また、通常呼出操作部３や不急呼出操作部４が操作されると、続けて通常呼出操作部３や不急呼出操作部４が操作されても、子機用制御部２は、通常呼出操作部３や不急呼出操作部４の操作を受け付けず、通常呼出信号や不急呼出信号を生成しない状態となる。
【００２０】
子機用Ｉ／Ｆ部５は、廊下灯１０を介してナースコール用表示装置２０を接続しており、子機用制御部２にて生成した通常呼出信号および不急呼出信号を廊下灯１０およびナースコール用表示装置２０へ出力する。また、子機用Ｉ／Ｆ部５は、廊下灯１０またはナースコール用表示装置２０から出力された復旧信号を入力する。ここで、復旧信号は病床識別情報を含み、通常呼出操作部３が操作された際に子機用制御部２にて生成された通常呼出信号に含まれる病床識別情報や不急呼出操作部４が操作された際に子機用制御部２にて生成された不急呼出信号に含まれる病床識別情報と、子機用Ｉ／Ｆ部５が入力した復旧信号に含まれる病床識別情報とが一致した場合に、子機用制御部２は、再び通常呼出操作部３および不急呼出操作部４の操作を受け付ける状態に戻る。
【００２１】
廊下灯１０の廊下灯用制御部１１は、ＣＰＵなどにより構成されており、廊下灯１０の各構成要素を後述するように制御する。廊下灯用Ｉ／Ｆ部１２は、廊下灯１０にナースコール子機１およびナースコール用表示装置２０を接続している。また、廊下灯用Ｉ／Ｆ部１２は、ナースコール子機１から出力された通常呼出信号および不急呼出信号を入力するとともに、ナースコール用表示装置２０から出力された復旧信号を入力する。また、廊下灯用Ｉ／Ｆ部１２は、ナースコール子機１から出力された通常呼出信号および不急呼出信号をナースコール用表示装置２０へ出力するとともに、ナースコール用表示装置２０から出力された復旧信号をナースコール子機１へ出力する。また、廊下灯用Ｉ／Ｆ部１２は、廊下灯用制御部１１にて生成した復旧信号をナースコール子機１およびナースコール用表示装置２０へ出力する。
【００２２】
廊下灯用報知部１３は、通常の呼び出しおよび不急の呼び出しを視覚により報知するためのものである。ここで、廊下灯用報知部１３は、表示ディスプレイや表示灯などにより構成されている。通常の呼び出しを報知する場合に、廊下灯用報知部１３は、通常の呼び出しが行われたことを表示ディスプレイに表示させたり、表示灯を点滅させたり、これらを組み合わせたりしている。また、不急の呼び出しを報知する場合に、廊下灯用報知部１３は、不急の呼び出しが行われたことを表示ディスプレイに表示させたり、表示灯を点灯させたり、これらを組み合わせている。
【００２３】
廊下灯用復旧操作部１４は、ボタンなどにより構成されており、廊下灯用報知部１３による報知およびナースコール用表示装置２０による報知を停止するとともに、ナースコール子機１により再び通常呼出操作部３および不急呼出操作部４の操作を受け付ける状態に戻すために操作される。
【００２４】
廊下灯用報知部１３による報知が行われた場合、廊下灯用制御部１１は、廊下灯用Ｉ／Ｆ部１２がナースコール用表示装置２０から出力された復旧信号を入力したか、廊下灯用復旧操作部１４が操作されたか、それ以外であるかを判定する。廊下灯用Ｉ／Ｆ部１２が復旧信号を入力したと廊下灯用制御部１１にて判断した場合に、その復旧信号に含まれる病床識別情報が、廊下灯用制御部１１が廊下灯用報知部１３を動作させる際に入力した通常呼出信号や不急呼出信号に含まれる病床識別情報と一致するか否かを判定し、一致すると判定したときに、廊下灯用制御部１１は廊下灯用報知部１３の動作を停止させる。
【００２５】
また、廊下灯用復旧操作部１４が操作されたと廊下灯用制御部１１にて判断した場合に、廊下灯用制御部１１は、廊下灯用報知部１３の動作を停止させ、廊下灯用Ｉ／Ｆ部１２に接続されているナースコール子機１のうち、入力した通常呼出信号や不急呼出信号に含まれる病床識別情報と同一の病床識別情報を含む復旧信号を生成する。廊下灯用Ｉ／Ｆ部１２は、接続されているナースコール子機１へ復旧信号を出力する。復旧信号を入力したナースコール子機１は、自装置が出力した通常呼出信号や不急呼出信号に含まれる病床識別情報と一致する病床識別情報を含む復旧信号を入力した場合に、再び通常呼出操作部３および不急呼出操作部４の操作を受け付ける状態に戻す。ここで、廊下灯用Ｉ／Ｆ部１２が複数のナースコール子機１から通常呼出信号や不急呼出信号を入力した場合、廊下灯用制御部１１は、最も優先度の高い通常呼出信号や不急呼出信号に含まれる病床識別情報と同一の病床識別情報を含む復旧信号を生成する。このとき、不急呼出信号よりも通常呼出信号の優先度が高く設定されており、通常呼出信号同士や不急呼出信号同士では、先に入力した呼出信号の優先度が高く設定されている。
【００２６】
また、廊下灯用Ｉ／Ｆ部１２が復旧信号を入力せず、かつ、廊下灯用復旧操作部１４が操作されていないと廊下灯用制御部１１にて判断した場合に、廊下灯用制御部１１はこの判定処理を繰り返す。
【００２７】
ナースコール用表示装置２０の制御部２１は、ＣＰＵなどにより構成されており、ナースコール用表示装置２０の各構成要素を後述するように制御する。また、制御部２１は、集計部２１１、判定部２１２、適合性判定部２１３を備えて構成されている。Ｉ／Ｆ部２２は、廊下灯１０を介してナースコール子機１を接続しており、ナースコール子機１または廊下灯１０から出力された通常呼出信号や不急呼出信号を入力するとともに、廊下灯１０から出力された復旧信号を入力する。また、Ｉ／Ｆ部２２は、自装置が生成した復旧信号をナースコール子機１および廊下灯１０へ出力する。
【００２８】
記憶部２３は、メモリなどの記憶装置により構成されている。また、記憶部２３は、患者を他の患者と識別するための患者識別情報と、患者識別情報により特定される患者に割り当てられている病床を他の病床と識別するための病床識別情報と、患者識別情報により特定される患者が通常の呼び出しを行った回数および不急の呼び出しを行った回数を集計した全体の呼び出しの回数を示す呼出回数情報と、患者識別情報により特定される患者が通常の呼び出しを行った回数を示す通常回数情報と、患者識別情報により特定される患者による全体の呼び出しの回数に対する通常の呼び出しを行った回数の割合を示す通常割合情報と、患者識別情報により特定される患者が不急の呼び出しを行った回数を示す不急回数情報と、患者識別情報により特定される患者により全体の呼び出しの回数に対する不急の呼び出しを行った回数の割合を示す不急割合情報と、ナースステーションから病床識別情報により特定される病床までの距離を示す距離情報とを関連付けて記憶している。例えば、記憶部２３は、図２に示すように、患者識別情報「山田一郎」に対して、病床識別情報として「２０１−１」、呼出回数情報として「１０回」、通常回数情報として「１０回」、通常割合情報として「１００％」、不急回数情報として「０回」、不急割合情報として「０％」、距離情報として「１０ｍ」を関連付けて記憶する。
【００２９】
集計部２１１は、通常の呼び出しを行った回数、および、不急の呼び出しを行った回数を患者毎に集計する。ここで、制御部２１は、ナースコール子機１から出力された通常呼出信号または不急呼出信号をＩ／Ｆ部２２にて入力したタイミングで集計部２１１を動作させる。
【００３０】
制御部２１は、Ｉ／Ｆ部２２がナースコール子機１から出力された通常呼出信号を入力した場合に、入力した通常呼出信号に含まれる病床識別情報に関連付けて記憶されている通常回数情報の値に１を加えるとともに、入力した通常呼出信号に含まれる病床識別情報に関連付けて記憶されている呼出回数情報を集計部２１１にて集計した値に更新して記憶部２３に記憶させる。それに併せて、制御部２１は、入力した不急呼出信号に含まれる病床識別情報に関連付けて記憶されている通常割合情報と不急割合情報とを更新して記憶部２３に記憶させる。また、制御部２１は、Ｉ／Ｆ部２２がナースコール子機１から出力された不急呼出信号を入力した場合に、入力した不急呼出信号に含まれる病床識別情報に関連付けて記憶されている不急回数情報の値に１を加えるとともに、入力した不急呼出信号に含まれる病床識別情報に関連付けて記憶されている呼出回数情報を集計部２１１にて集計した値に更新して記憶部２３に記憶させる。それに併せて、制御部２１は、入力した不急呼出信号に含まれる病床識別情報に関連付けて記憶されている通常割合情報と不急割合情報とを更新して記憶部２３に記憶させる。
【００３１】
報知部２４は、通常の呼び出しを音声や視覚により報知したり、不急の呼び出しを視覚により報知したりするためのものである。ここで、報知部２４は、スピーカーや表示ディスプレイ、表示灯などにより構成されている。通常の呼び出しを報知する場合に、報知部２４は、通常の呼び出しが行われたことを示す呼び出し音や音声をスピーカーから出力させたり、通常の呼び出しが行われたことを表示ディスプレイに表示させたり、表示灯を点滅させたり、これらを組み合わせたりしている。また、不急の呼び出しを報知する場合に、報知部２４は、不急の呼び出しが行われたことを表示ディスプレイに表示させたり、表示灯を点灯させたり、これらを組み合わせたりしている。制御部２１は、Ｉ／Ｆ部２２がナースコール子機１から出力された通常呼出信号または不急呼出信号を入力すると、報知部２４を動作させる。
【００３２】
復旧操作部２５は、ボタンなどにより構成されており、廊下灯１０による報知および報知部２４による報知を停止するとともに、ナースコール子機１により再び通常呼出操作部３および不急呼出操作部４の操作を受け付ける状態に戻すために操作される。
【００３３】
報知部２４による報知が行われた場合、制御部２１は、Ｉ／Ｆ部２２が廊下灯１０から出力された復旧信号を入力したか、復旧操作部２５が操作されたか、それ以外であるかを判定する。Ｉ／Ｆ部２２が復旧信号を入力したと制御部２１にて判断した場合に、その復旧信号に含まれる病床識別情報が、制御部２１が報知部２４を動作させる際に入力した通常呼出信号や不急呼出信号に含まれる病床識別情報と一致するか否かを判定し、一致すると判定したときに、制御部２１は報知部２４の動作を停止させる。
【００３４】
また、復旧操作部２５が操作されたと制御部２１にて判断した場合に、制御部２１は、報知部２４の動作を停止させ、入力した通常呼出信号や不急呼出信号に含まれる病床識別情報と同一の病床識別情報を含む復旧信号を生成する。Ｉ／Ｆ部２２は、ナースコール子機１および廊下灯１０へ復旧信号を出力する。復旧信号を入力したナースコール子機１は、自装置が出力した通常呼出信号や不急呼出信号に含まれる病床識別情報と一致する病床識別情報を含む復旧信号を入力した場合に、再び通常呼出操作部３および不急呼出操作部４の動作を受け付ける状態に戻す。ここで、Ｉ／Ｆ部２２が複数のナースコール子機１から通常呼出信号や不急呼出信号を入力した場合、制御部２１は、最も優先度の高い通常呼出信号や不急呼出信号に含まれる病床識別情報と同一の病床識別情報を含む復旧信号を生成する。このとき、不急呼出信号よりも通常呼出信号の優先度が高く設定されており、通常呼出信号同士や不急呼出信号同士では、先に入力した呼出信号の優先度が高く設定されている。
【００３５】
Ｉ／Ｆ部２２が復旧信号を入力せず、かつ、復旧操作部２５が操作されていないと制御部２２にて判断した場合に、制御部２２はこの判定処理を繰り返す。
【００３６】
表示部２６は、表示ディスプレイなどにより構成されており、不急の呼び出しを行う患者に対して医療従事者がついでに対応し易くするように病床が適切に割り当てられていない患者を表示するものである。
【００３７】
判定部２１２は、記憶部１３を参照し、呼出回数情報と通常割合情報と不急割合情報とを患者識別情報毎に取得して、取得した呼出回数情報の値が所定の回数以上であるか否かを判定する処理と、取得した通常割合情報により特定される割合が第一の所定の割合以上であるか否かを判定する処理と、取得した不急割合情報により特定される割合が第二の所定の割合以上であるか否かを判定する処理とを患者毎に実行する。ここで、制御部２１は、ナースコール用表示装置２０に設けられた操作部（図示せず）が操作された場合に判定部２１２を動作させる。また、所定の回数とは、判定部２１２が精度の高い判定結果を出力するためのしきい値である。また、第一の所定の割合とは、通常の呼び出しを行う傾向が高い患者であるか否かを判定するためのしきい値である。また、第二の所定の割合とは、不急の呼び出しを行う傾向が高い患者であるか否かを判定するためのしきい値である。なお、本実施形態では所定の回数を８回とし、第一の所定の割合および第二の所定の割合を８０％とする。
【００３８】
適合性判定部２１３は、全体の呼び出しの回数が所定の回数以上で、その回数に対する通常の呼び出しを行った回数が第一の所定の割合以上であると判定部２１２にて判定された患者の患者識別情報に関連付けて記憶されている距離情報が第一の所定値より小さいか否かを判定するとともに、全体の呼び出しの回数が所定の回数以上で、その回数に対する不急の呼び出しを行った回数が第二の所定の割合以上であると判定部２１２にて判定された患者の患者識別情報に関連付けて記憶されている距離情報が第二の所定値より大きいか否かを判定する。ここで、第一の所定値とは、ナースステーションから通常の呼び出しを行う傾向が高い患者に割り当てられている病床までの距離が適切であるか否かを判定するためのしきい値であり、通常の呼び出しを行う傾向が高い患者に対しては、距離情報が第一の所定値以上であることが好ましい。また、第二の所定値とは、ナースステーションから不急の呼び出しを行う傾向が高い患者に割り当てられている病床までの距離が適切であるか否かを判定するためのしきい値であり、不急の呼び出しを行う傾向が高い患者に対しては、距離情報が第二の所定値以下であることが好ましい。なお、本実施形態では、第一の所定値を３５ｍとし、第二の所定値を２５ｍとしている。
【００３９】
具体的には、呼出回数情報の値が所定の回数以上であると判定部２１２にて判定した場合、および、通常割合情報により特定される割合が第一の所定の割合以上であると判定部２１２にて判定した場合に、適合性判定部２１３は、記憶部２３を参照し、判定部２１２が取得した呼出回数情報および通常割合情報に該当する患者識別情報に関連付けて記憶されている距離情報を取得する。適合性判定部２１３は、取得した距離情報の値が第一の所定値以下であるか否かを判定する。取得した距離情報の値が第一の所定値以下であると適合性判定部２１３にて判定した場合に、適合性判定部２１３は、該当する患者に割り当てられている病床が適切ではないと判定し、その患者の患者識別情報と、ナースステーションから遠い病床へその患者を転床すべきであることを示す転床情報とを表示部２６に表示させる。
【００４０】
また、呼出回数情報の値が所定の回数以上であると判定部２１２にて判定した場合、および、不急割合情報により特定される割合が第二の所定の割合以上であると判定部２１２にて判定した場合に、適合性判定部２１３は、記憶部２３を参照し、判定部２１２が取得した呼出回数情報および不急割合情報に該当する患者識別情報に関連付けて記憶されている距離情報を取得する。適合性判定部２１３は、取得した距離情報の値が第二の所定値以上であるか否かを判定する。取得した距離情報の値が第二の所定値以上であると適合性判定部２１３にて判定した場合に、適合性判定部２１３は、該当する患者に割り当てられている病床が適切ではないと判定し、その患者の患者識別情報と、ナースステーションに近い病床へその患者を転床すべきであることを示す転床情報とを表示部２６に表示させる。
【００４１】
例えば、図２に示すように、患者識別情報「山田一郎」の全体の呼び出しの回数は１０回であるため、その回数が所定の回数「８回」以上であると判定部２１２により判定される。また、通常の呼び出しを行った回数の割合は１００％であるため、その割合が第一の所定の割合「８０％」以上であると判定部２１２にて判定される。適合性判定部２１３は、記憶部２３を参照し、患者識別情報「山田一郎」に関連付けて記憶されている距離情報「１０ｍ」を取得し、その値が第一の所定値「３５ｍ」以下であると判定して、患者識別情報「山田一郎」に割り当てられている病床が適切ではないと判定する。
【００４２】
同様に判定を行った場合、全体の呼び出しの回数が所定の回数「８回」以上であると判定部２１２により判定されるのは、患者識別情報が「佐藤二郎」、「石井六郎」、「伊藤七郎」、「大田八郎」の患者となる。また、これらの患者の中で、通常の呼び出しを行った回数の割合が第一の所定の割合「８０％」以上であると判定部２１２により判定されるのは、患者識別情報が「佐藤二郎」の患者となる。一方、不急の呼び出しを行った回数の割合が第二の所定の割合「８０％」以上であると判定部２１２により判定されるのは、患者識別情報が「石井六郎」の患者となる。
【００４３】
適合性判定部２１３は、記憶部２３を参照し、患者識別情報「佐藤二郎」に関連付けて記憶されている距離情報「１５ｍ」を取得し、その値が第一の所定値「３５ｍ」以下であると判定して、患者識別情報「佐藤二郎」に割り当てられている病床が適切ではないと判定する。また、適合性判定部２１３は、記憶部２３を参照し、患者識別情報「石井六郎」に関連付けて記憶されている距離情報「３５ｍ」を取得し、その値が第二の所定値「２５ｍ」以上である判定して、患者識別情報「石井六郎」に割り当てられている病床が適切ではないと判定する。
【００４４】
適合性判定部２１３が判定処理を実行すると、適合性判定部２１３は、該当する患者の患者識別情報とともに転床情報を表示部２６に表示させる。図３は、本実施形態によるナースコール用表示装置２０の表示部２６の表示画面の例を示す図である。同図に示すように、表示部２６は、不急の呼び出しを行う患者に対して医療従事者がついでに対応し易くするように病床が適切に割り当てられていない患者の患者識別情報「山田一郎」、「佐藤二郎」と、ナースステーションから遠い病床へその患者を転床すべきであることを示す転床情報とを表示するとともに、不急の呼び出しを行う患者に対して医療従事者がついでに対応し易くするように病床が適切に割り当てられていない患者の患者識別情報「石井六郎」と、ナースステーションに近い病床へその患者を転床すべきであることを示す転床情報とを表示する。
【００４５】
以上、詳しく説明したように、本実施形態のナースコール用表示装置２０では、ナースコール用表示装置２０によって音声による報知が行われる通常の呼び出しを行った回数と廊下灯１０によって視覚に対する報知が行われる不急の呼び出しを行った回数とを患者毎に集計部２１２にて集計し、患者に割り当てられている病床を他の病床と識別するための病床識別情報と、集計部２１２が集計した全体の呼び出しの回数を示す呼出回数情報と、通常の呼び出しを行った回数を示す通常回数情報と、通常の呼び出しを行った回数の割合を示す通常割合情報と、不急の呼び出しを行った回数を示す不急回数情報と、不急の呼び出しを行った回数の割合を示す不急割合情報と、ナースステーションから病床までの距離を示す距離情報とを患者識別情報毎に関連付けて記憶部２３に記憶する。そして、全体の呼び出しの回数が所定の回数以上で、通常割合情報の値が第一の所定の割合以上であると判定部２１２にて判定した患者の患者識別情報に関連付けて記憶部２３に記憶されている距離情報の値が第一の所定値以上であると適合性判定部２１３にて判断した場合、または、全体の呼び出しの回数が所定の回数以上で、不急割合情報の値が第二の所定の割合以上であると判定部２１２にて判定した患者の患者識別情報に関連付けて記憶部２３に記憶されている距離情報の値が第二の所定値以下であると適合性判定部２１３にて判断した場合に、適合性判定部２１３は、割り当てた病床が適切ではない患者を表示部２６にて表示させるようにしている。
【００４６】
これにより、通常の呼び出しを行う傾向が高い患者の病床がナースステーションの近くの病床に配置されていたり、不急の呼び出しを行う傾向が高い患者の病床がナースステーションから遠い病床に配置されていたりすると、その配置が適切ではないことが表示される。このことから、医療従事者が通常の呼び出しを行う傾向が高い患者の病床をナースステーションから遠い病床に配置したり、不急の呼び出しを行う傾向が高い患者の病床をナースステーションの近くの病床に配置したりすることができるようになり、不急の呼び出しを行った患者の病室が、ナースステーションと通常の呼び出しを行った患者の病室との間に存在する可能性が高くなる。従って、不急の呼び出しを行った患者に対して医療従事者がついでに対応し易くなるように患者を配置することができる。
【００４７】
なお、前述した実施形態では、表示部２６は、不急の呼び出しを行った患者に対して医療従事者がついでに対応し易くなるように患者に割り当てた病床が適切ではない患者の患者識別情報を表示しているが、これに限定されない。例えば、不急の呼び出しを行った患者に対して医療従事者がついでに対応し易くなるように割り当てた病床が適切である患者の患者識別情報も併せて表示部２６が表示するようにしても良い。この場合、不急の呼び出しを行った患者に対して医療従事者がついでに対応し易くなるように患者に割り当てた病床が適切ではない患者の患者識別情報が視認できるように表示部２６が表示する必要がある。
【００４８】
また、前述した実施形態では、表示部２６は、不急の呼び出しを行った患者に対して医療従事者がついでに対応し易くなるように患者に割り当てた病床が適切ではない患者の患者識別情報と、ナースステーションから遠い病床へ転床すべきこと、または、ナースステーションへ近い病床に転床すべきことを示す転床情報とを表示しているが、これに限定されない。例えば、患者識別情報に関連付けて記憶部２３に記憶されている呼出回数情報と通常回数情報と通常割合情報と不急回数情報と不急割合情報と距離情報とも併せて表示部２６が表示するようにしても良い。
【００４９】
また、前述した実施形態では、第一の所定の割合と第二の所定の割合とが同一の割合としているが、これに限定されない。例えば、第一の所定の割合と第二の所定の割合とが異なる割合であっても良い。
【００５０】
また、前述した実施形態では、第一の所定値と第二の所定値とが異なる値としているが、これに限定されない。例えば、第一の所定値と第二の所定値とが同一の値であっても良い。
【００５１】
また、前述した実施形態では、通常の呼び出しを報知する場合に、廊下灯用報知部１３は表示灯を点滅させて、不急の呼び出しを報知する場合に、廊下灯用報知部１３は表示灯を点灯させているが、これに限定されない。例えば、通常の呼び出しを報知する場合に、廊下灯用報知部１３が表示灯を点灯させて、不急の呼び出しを報知する場合に、廊下灯用報知部１３が表示灯を点滅させるようにしても良い。要は、医療従事者が廊下灯用報知部１３を見るだけで、通常の呼び出しが行われた場合と不急の呼び出しが行われた場合とを区別することができるようにすれば良い。
【００５２】
また、前述した実施形態では、通常の呼び出しを報知する場合に、報知部２４は表示灯を点滅させて、不急の呼び出しを報知する場合に、報知部２４は表示灯を点灯させているが、これに限定されない。例えば、通常の呼び出しを報知する場合に、報知部２４が表示灯を点灯させて、不急の呼び出しを報知する場合に、報知部２４が表示灯を点滅させるようにしても良い。要は、医療従事者が報知部２４を見るだけで、通常の呼び出しが行われた場合と不急の呼び出しが行われた場合とを区別することができるようにすれば良い。
【００５３】
その他、ナースコール用表示装置２０を含むナースコールシステムの構成、処理手順、内容等についても、この発明の要旨を逸脱しない範囲で種々変形して実施することができる。また、上記実施形態に開示されている複数の構成要素の組み合わせにより種々の発明を形成することができる。例えば、実施形態に示される全構成要素からいくつかの構成要素を削除するようにしても良い。さらに、異なる実施形態に亘る構成要素を適宜組み合わせるようにしても良い。
【符号の説明】
【００５４】
１    ナースコール子機
２    子機用制御部
３    通常呼出操作部
４    不急呼出操作部
５    子機用インターフェース（Ｉ／Ｆ）部
１０    廊下灯
１１    廊下灯用制御部
１２    廊下灯用インターフェース（Ｉ／Ｆ）部
１３    廊下灯用報知部
１４    廊下灯用復旧操作部
２０    ナースコール用表示装置
２１    制御部
２１１    集計部
２１２    判定部
２１３    適合性判定部
２２    インターフェース（Ｉ／Ｆ）部
２３    記憶部
２４    報知部
２５    復旧操作部
２６    表示部
【図１】
2012228392.tif 000003
【図２】
2012228392.tif 000004
【図３】
2012228392.tif 000005